(57)【特許請求の範囲】
【請求項１】
ソフトウェアもしくはコンテンツのデータをオンライン販売するためのｅ−コマースサイトを備えた外部サーバ（１０）と、携帯電話用ＩＤを有する携帯電話（４０）と、前記携帯電話用ＩＤを登録すると共に端末機用ＩＤを有する車両用端末機（５０）と、を備え、前記携帯電話を介して前記外部サーバにて前記データを購入し、購入したデータを前記車両用端末機にダウンロードする車両用ダウンロードシステムであって、
前記外部サーバは、前記携帯電話から前記携帯電話用ＩＤが含まれた購入依頼を受け付ける手段（１２０）と、前記携帯電話用ＩＤを含んだ前記購入依頼に応じたデータを前記携帯電話に送信する手段（１４０）と、を備え、
前記携帯電話は、前記車両用端末機に前記携帯電話用ＩＤを送信し、前記車両用端末機にて、前記車両用端末機にあらかじめ登録された前記携帯電話用ＩＤと前記携帯電話から送信された前記携帯電話用ＩＤとが照合され、一致することを示す信号を受け取った場合、前記携帯電話を介して前記車両用端末機から前記外部サーバへのアクセスを可能にする手段（２１０、２２０）と、基地局（３０）およびインターネット（２０）を介して前記外部サーバにアクセスする手段（２３０）と、前記車両用端末機から前記端末機用ＩＤが含まれた購入依頼を受け、この購入依頼に前記携帯電話用ＩＤが含まれた購入依頼を前記外部サーバに送信する手段（２４０）と、前記外部サーバから前記携帯電話用ＩＤが含まれたデータをダウンロードし、ダウンロードしたデータをメモリ部（４３）に記憶する手段（２７０）と、前記データをダウンロードした後、前記車両用端末機に前記携帯電話用ＩＤを送信し、前記車両用端末機にて、前記車両用端末機にあらかじめ登録された前記携帯電話用ＩＤと前記携帯電話から送信された前記携帯電話用ＩＤとが照合され、一致することを示す信号を受け取った場合、再び前記車両用端末機との通信を可能にする手段（２８０、２９０）と、前記メモリ部に記憶した前記データのうち前記端末機用ＩＤが含まれたデータを前記車両用端末機に送信する手段（２９５）と、を備え、
前記車両用端末機は、前記携帯電話から送信される前記携帯電話用ＩＤを受け、前記車両用端末機にあらかじめ登録された前記携帯電話用ＩＤと前記携帯電話から送信された前記携帯電話用ＩＤとを照合し、一致することを示す信号を出力すると共に、前記携帯電話を介して前記車両用端末機から前記外部サーバへのアクセスを可能にする手段（３２０）と、前記携帯電話を介して前記外部サーバに対して希望するデータを購入する際、前記端末機用ＩＤが含まれた購入依頼を前記携帯電話に送信する手段（３３０）と、前記購入依頼を行った後に、前記携帯電話との通信が切断されると、その後、再び前記携帯電話から送信される前記携帯電話用ＩＤを受け、前記車両用端末機にあらかじめ登録された前記携帯電話用ＩＤと前記携帯電話から送信された前記携帯電話用ＩＤとを照合し、一致することを示す信号を出力すると共に、前記車両用端末機と前記携帯電話との通信を再構築する手段（４２０）と、前記携帯電話との通信が再構築された後、前記携帯電話の前記メモリ部に記憶された前記データのうち前記端末機用ＩＤが含まれたデータをダウンロードする手段（４３０）と、を備えていることを特徴とする車両用ダウンロードシステム。
【請求項２】
ソフトウェアもしくはコンテンツのデータをオンライン販売するためのｅ−コマースサイトを備えた外部サーバ（１０）から、携帯電話用ＩＤが備えられた携帯電話（４０）を介してデータを購入およびダウンロードする車両用ダウンロードシステムにおいて用いられ、あらかじめ前記携帯電話用ＩＤを登録すると共に端末機用ＩＤが備えられた車両用端末機であって、
前記車両用端末機は、
前記携帯電話から送信される前記携帯電話用ＩＤを受け、前記車両用端末機にあらかじめ登録された前記携帯電話用ＩＤと前記携帯電話から送信された前記携帯電話用ＩＤとを照合し、一致することを示す信号を出力すると共に、前記携帯電話を介して前記車両用端末機から前記外部サーバへのアクセスを可能にする手段（３２０）と、
前記携帯電話を介して前記外部サーバに対して希望するデータを購入する際、前記端末機用ＩＤが含まれた購入依頼を前記携帯電話に送信する手段（３３０）と、
前記購入依頼を行った後に、前記外部サーバから前記携帯電話のメモリ部（４３）に前記データがダウンロードされ、前記携帯電話との通信が切断されると、その後、再び前記携帯電話から送信される前記携帯電話用ＩＤを受け、前記車両用端末機にあらかじめ登録された前記携帯電話用ＩＤと前記携帯電話から送信された前記携帯電話用ＩＤとを照合し、一致することを示す信号を出力すると共に、前記車両用端末機と前記携帯電話との通信を再構築する手段（４２０）と、
前記携帯電話との通信が再構築された後、前記携帯電話の前記メモリ部に記憶された前記データのうち前記端末機用ＩＤが含まれたデータをダウンロードする手段（４３０）と、を備えていることを特徴とする車両用端末機。
【発明の詳細な説明】
【技術分野】
【０００１】
本発明は、携帯電話を介してｅ−コマースサイトにアクセスし、ソフトウェアやコンテンツのデータを購入すると共に購入したデータをダウンロードする車両用ダウンロードシステムおよびそれに用いられる車両用端末機に関する。
【背景技術】
【０００２】
従来より、車両に搭載されたナビゲーション装置等の車両用情報端末機にソフトウェアをダウンロードする場合、携帯電話を介してインターネット接続することによりダウンロードを行う方法が実施されている。
【０００３】
この方法では、搭乗者が車室内の端末機に携帯電話を接続し、携帯電話を介して端末機にてインターネット上のネットショップにアクセスする。そして、そのネットショップでダウンロードしたいソフトウェアやコンテンツの購入手続きを行った後、ネットショップで購入したソフトウェアのデータが保存されたサーバからインターネットおよび携帯電話を介してそのデータを端末機にダウンロードする。このようして、携帯電話を介してソフトウェアを端末機にダウンロードすることができる。
【発明の開示】
【発明が解決しようとする課題】
【０００４】
しかしながら、上記従来の技術では、ソフトウェアのダウンロードが終了するまで携帯電話を端末機に接続した状態にしておかなければならず、例えば大容量のソフトウェアをダウンロードする場合では長時間を要することとなり、搭乗者が携帯電話を携帯して車両から離れられなくなってしまうという問題が生じる。
【０００５】
また、上記のように携帯電話を介して端末機にソフトウェアをダウンロードする方法では、音声認識の際に用いられる音声データや地図情報の変更修正等のソフトウェア作成に時間を要するものもあり、このようなソフトウェア購入にも好ましくない。
【０００６】
本発明は、上記点に鑑み、ソフトウェアのダウンロード容量やダウンロード時間に関わらず、車両用端末機にソフトウェアをダウンロードすることができる車両用ダウンロードシステムおよびそれに用いられる車両用端末機を提供することを目的とする。
【課題を解決するための手段】
【０００７】
上記目的を達成するため、本発明の第１の特徴では、ソフトウェアもしくはコンテンツのデータをオンライン販売するためのｅ−コマースサイトを備えた外部サーバ（１０）と、携帯電話用ＩＤを有する携帯電話（４０）と、携帯電話用ＩＤを登録すると共に端末機用ＩＤを有する車両用端末機（５０）と、を備えた車両用ダウンロードシステムにおいて、携帯電話を介して外部サーバにてデータを購入し、購入したデータを携帯電話のメモリ部（４３）に記憶させ、メモリ部に記憶したデータを車両用端末機にダウンロードする。
【０００８】
このように、携帯電話を介して車両用端末機から外部サーバにアクセスすると共に、外部サーバから送信されるデータを携帯電話で一時的に記憶しておく。これにより、ソフトウェアやコンテンツのデータのダウンロードが終了するまで携帯電話を車両用端末機に接続した状態にしておく必要がなくなり、携帯電話の所有者が携帯電話を携帯して車両から離れたとしても購入したデータをダウンロードし続けることができる。このような場合、大容量のソフトウェアや、音声データ、地図情報の変更修正等のソフトウェア作成に時間を要するデータであっても、外部サーバからのデータは携帯電話にダウンロードされると共に携帯電話のメモリ部に記憶されるため、車両用端末機と携帯電話との接続状態を維持していなくても、データの容量やダウンロード時間に関わらずデータをダウンロードすることができる。
【０００９】
本発明の第２の特徴では、ソフトウェアもしくはコンテンツのデータをオンライン販売するためのｅ−コマースサイトを備えた外部サーバ（１０）から、携帯電話（４０）を介してデータを購入およびダウンロードする車両用ダウンロードシステムにおいて用いられる車両用端末機は、携帯電話を介して外部サーバにてデータを購入し、購入したデータを携帯電話のメモリ部（４３）に記憶しておき、メモリ部に記憶したデータを携帯電話からダウンロードする。
【００１０】
これによると、車両用端末機は携帯電話を介して外部サーバからデータをダウンロードする際、携帯電話のメモリ部にダウンロードし、携帯電話にダウンロードしたデータを車両用端末機にダウンロードする。これにより、車両用端末機と携帯電話との接続状態を維持していなくても、外部サーバからデータをダウンロードすることができる。すなわち、大容量のソフトウェアや、音声データ、地図情報の変更修正等のソフトウェア作成に時間を要するデータ等のように、データの容量やダウンロードに時間を要するデータに関わらず、車両用端末機にデータをダウンロードすることができる。
【００１１】
なお、上記各手段の括弧内の符号は、後述する実施形態に記載の具体的手段との対応関係を示すものである。
【発明を実施するための最良の形態】
【００１２】
（第１実施形態）
以下、本発明の第１実施形態について図を参照して説明する。
【００１３】
図１は、本発明の一実施形態に係る車両用ダウンロードシステムのシステム構成図である。この図に示されるように、車両用ダウンロードシステム１は、外部サーバ１０と、インターネット２０と、基地局３０と、携帯電話４０と、車両用端末機５０と、を有して構成されている。
【００１４】
外部サーバ１０は、インターネット２０に接続され、ソフトウェアやコンテンツ等のデータをｅ−コマースにより提供するものであり、ｅ−コマースを実現するための販売プログラム１００（後述する図２（ａ）参照）を有している。このようなソフトウェアやコンテンツとして、例えば地図データの更新データ、音声認識データ、音楽データ等が提供される。これらソフトウェアやコンテンツ等は、この外部サーバ１０によって運営されるネットショップにて購入可能になっており、購入者が購入したソフトウェアやコンテンツのデータをこの外部サーバ１０もしくは上記ソフトウェアやコンテンツ等のデータが保存された他のサーバからインターネット２０を介してダウンロードできるようになっている。
【００１５】
基地局３０は、携帯電話４０と直接通信する、インターネット２０に接続された携帯電話網の端末である。本実施形態では、この基地局３０は、インターネット２０と携帯電話４０との通信を可能にする中継点となるものである。
【００１６】
携帯電話４０は、無線通信を利用した移動端末機であり、送受信部４１と、ベースバンド部４２と、メモリ部４３と、携帯電話側通信部４４と、携帯電話側制御部４５と、を備えて構成されている。
【００１７】
送受信部４１は、通信信号の周波数変換を行う周波数変換器である。具体的に、送受信部４１は、アンテナ４１ａで受信された上り通信信号をダウンコンバートして受信ベースバンド信号を出力するとともに、ベースバンド部４２からの送信ベースバンド信号を周波数変換してアップコンバートして下り通信信号を出力する。
【００１８】
ベースバンド部４２は、通信信号を変調または復調するための変復調器として機能するものである。このようなベースバンド部４２は、送受信部４１からの受信ベースバンド信号に対し復調処理を施して復調信号をメモリ部４３および携帯電話側通信部４４に出力すると共に、携帯電話側通信部４４からの送信信号に対し変調処理を施して送信ベースバンド信号を送受信部４１に出力する。
【００１９】
メモリ部４３は、入力されたデータを格納する記憶手段である。このメモリ部４３は、端末機５０がｅ−コマースを利用してネットショップで購入したソフトウェアやコンテンツのデータをダウンロードする際、そのデータを一時格納する役割を果たすものである。このようなメモリ部４３として、例えば不揮発性メモリやフラッシュメモリ等が採用される。本実施形態では、メモリ部４３の記憶容量として例えば１ＧＢのものが用いられる。
【００２０】
携帯電話側通信部４４は、携帯電話４０と端末機５０との間の通信を行うものであり、携帯情報機器向けの無線通信を行うものである。具体的に、本実施形態では、携帯電話側通信部４４は、Ｂｌｕｅｔｏｏｔｈ技術によるワイヤレス通信を行うものである。このＢｌｕｅｔｏｏｔｈ技術は、２．４５ＧＨｚ帯の電波を利用した無線式通信技術であり、指向性をもたないため、通信機器間に障害物があっても通信可能である。
【００２１】
また、携帯電話側通信部４４には図示しないメモリが備えられており、このメモリに携帯電話４０を識別するためのキーＩＤ（携帯電話用ＩＤ、例えばｍ１＄３）が記憶されている。すなわち、携帯電話側通信部４４は、端末機５０と通信する際、端末機５０に送信する信号にキーＩＤを付与し、そのキーＩＤ付き信号を外部に送信する。
【００２２】
携帯電話側制御部４５は、携帯電話４０が移動端末として機能する制御を行うものであり、マイクロコンピュータ等を備えたものである。また、この携帯電話側制御部４５は、端末機５０で購入手続きされたソフトウェアやコンテンツのデータの一時格納する機能を有し、この機能を実現するための一時格納プログラム２００（後述する図２（ｂ）参照）を備えている。すなわち、携帯電話側制御部４５は、このダウンロードプログラムを実行することにより、端末機５０がｅ−コマースを利用してネットショップで購入したソフトウェアやコンテンツのデータを一時格納すると共に、一時格納したデータを端末機５０にダウンロードする機能を有している。
【００２３】
また、携帯電話側制御部４５は、端末機４０に携帯電話４０用を識別するＩＤを送信し、端末機５０にて、端末機５０にあらかじめ登録された携帯電話４０を識別するＩＤと携帯電話４０から送信された携帯電話４０を識別するＩＤとが照合され、一致することを示す信号を端末機５０から受け取り、携帯電話４０を介して端末機５０から外部サーバ１０へのアクセスを可能にする機能も有する。
【００２４】
車両用端末機５０は、車両に搭載された情報端末機器であり、例えばカーナビゲーション装置やオーディオ機器等として機能するものである。このような端末機５０は、端末機側通信部５１と、端末機側制御部５２と、記憶部５３と、操作キー部５４と、モニタ部５５と、を備えて構成されている。
【００２５】
端末機側通信部５１は、上記携帯電話側通信部４４と同じ機能を有するものである。
【００２６】
端末機側制御部５２は、ナビゲーション処理等の各種処理を行うものであり、携帯電話４０を介してソフトウェアやコンテンツをネットショップで購入する機能や、携帯電話４０に一時格納された購入したソフトウェアやコンテンツのデータを携帯電話４０からダウンロードする機能を有している。すなわち、端末機側制御部５２は、例えばブラウザでネットショップのサイトにアクセスし、ソフトウェアやコンテンツを購入依頼する購入プログラム３００（後述する図２（ｃ）参照）と、携帯電話４０に一時格納されたデータを端末機５０にダウンロードするダウンロードプログラム４００（後述する図２（ｄ）参照）と、を有している。このような端末機側制御部５２は、マイクロコンピュータ等を備えたものとして構成される。
【００２７】
また、端末機側制御部５２には図示しないメモリが備えられており、このメモリに端末機５０を識別するためのキーＩＤ（端末機用ＩＤ、例えばｃ２％％２）が記憶されている。すなわち、端末機側制御部５２は、携帯電話４０を介してインターネット２０に接続する際、携帯電話４０に送信する信号にキーＩＤを付与して端末機側通信部５１にそのキーＩＤ付き信号を出力する。
【００２８】
さらに、端末機側制御部５２は、携帯電話４０から送信される携帯電話４０を識別するＩＤを受け、端末機５０にあらかじめ登録された携帯電話４０を識別するＩＤと携帯電話４０から送信された携帯電話４０を識別するＩＤとを照合し、一致することを示す信号を携帯電話４０に送信し、携帯電話４０を介して端末機５０から外部サーバ１０へのアクセスを可能にする機能も有する。
【００２９】
記憶部５３は、地図データや音楽データ等のデータを記憶しておくための記憶媒体である。このような記憶部５３として例えばハードディスク、不揮発性メモリ等が用いられる。すなわち、端末機５０が外部サーバ１０にアクセスし、ネットショップで購入したデータは、この記憶部５３に格納され、端末機側制御部５２が実行するプログラム等に応じて必要なデータが読み出される。
【００３０】
モニタ部５５は、端末機側制御部５２によって制御され、地図やブラウザ等を表示するものである。また、操作キー部５４は、表示キーや選択キー等の各操作キーを有するものである。
【００３１】
以上が、本実施形態に係る車両用ダウンロードシステム１およびそれを構成する外部サーバ１０、携帯電話４０、端末機５０の具体的な構成である。
【００３２】
次に、上記車両用ダウンロードシステム１におけるソフトウェアやコンテンツのデータの具体的なダウンロード処理について、図２を参照して説明する。図２は、図１の外部サーバ１０、携帯電話４０、端末機５０における各処理の内容を示したフローチャートである。
【００３３】
図２（ａ）は販売プログラム１００の内容を示すフローチャートであり、外部サーバ１０は電源が入力されると、フローがスタートする。図２（ｂ）は一時格納プログラム２００であり、携帯電話４０の電源が入力されると、フローがスタートする。図２（ｃ）は購入プログラム３００、図２（ｄ）はダウンロードプログラム４００であり、それぞれ端末機５０の電源が入力されると、フローがスタートする。
【００３４】
図２に従った作動を説明する前に、上記携帯電話４０および端末機５０に用いられているＢｌｕｅｔｏｏｔｈ技術を用いる各機器においては、初回に限り、接続相手を特定するためのペアリングと呼ばれる操作を行うため、まずこのことについて説明する。
【００３５】
具体的には、携帯電話４０を探索可能状態にする。続いて、端末機５０から探索操作を行う。そして、端末機５０のモニタ部５５に探索可能状態にある周囲のＢｌｕｅｔｏｏｔｈ機器の一覧が表示されるので、その中から携帯電話４０を指定する。この後、携帯電話４０のキーＩＤを端末機５０に登録することにより、接続処理が完了する。このように、端末機５０に携帯電話４０のキーＩＤの登録が行われれば、ペアリングは終了する。一度ペアリングを行った機器間では、次回から自動的に接続が行われるため、携帯電話４０が端末機５０の通信可能エリアに進入すると、端末機５０は自動的に携帯電話４０との無線通信を可能にする。なお、上記ペアリングの機能は、携帯電話４０および端末機５０それぞれにあらかじめ備えられている。
【００３６】
上記のようにして、携帯電話４０と端末機５０とが通信可能になった状態において、ソフトウェアやコンテンツのデータをダウンロードする作動について説明する。
【００３７】
まず、ユーザが携帯電話４０を携帯して車両に近づくと、Ｂｌｕｅｔｏｏｔｈ通信による接続相手を探索する処理がなされる（ステップ２１０）。また、端末機５０では、携帯電話４０が通信可能エリアに進入したか否かが判定される（ステップ３１０）。携帯電話４０が端末機５０の通信可能エリアに進入していないと判定されると、引き続き携帯電話４０の接続応答があったか否かが判定される。
【００３８】
そして、携帯電話４０から端末機５０にアクセスがあると、端末機５０では、携帯電話４０を識別するキーＩＤ（ｍ１＄３）によって携帯電話４０が通信可能な機器であるか否かが判定される。こうしてキーＩＤが照合されることで、携帯電話４０と端末機５０との間でＢｌｕｅｔｏｏｔｈによる通信が可能になると、携帯電話４０および端末機５０にて接続完了処理がなされ（ステップ３２０、ステップ２２０）、携帯電話４０と端末機５０との通信が可能になる。
【００３９】
これにより、端末機５０にて携帯電話４０（および基地局３０、インターネット２０）を介して外部サーバ１０にアクセスすることにより、外部サーバ１０が提供するｅ−コマースによるネットショップのサイトをブラウザ等により閲覧することができるようになる（ステップ２３０）。
【００４０】
また、外部サーバ１０では、携帯電話４０からアクセスがあったか否かが判定され、携帯電話４０からのアクセスがなければ、引き続きアクセスがあったか否かが判定される。一方、端末機５０が携帯電話４０を介してｅ−コマースのサイトにアクセスすることにより、外部サーバ１０では携帯電話４０からのアクセスがあったと判定される（ステップ１１０）。
【００４１】
このような状態で、端末機５０にてネットショップに対してソフトウェアやコンテンツの購入依頼が行われる（ステップ３３０）。このとき、端末機５０を識別するキーＩＤ（ｃ２％％２）が付与された購入依頼が携帯電話４０に送信される。これを受けた携帯電話４０では、この携帯電話４０を識別するキーＩＤ（ｍ１＄３）が含まれた購入依頼が外部サーバ１０に送信される（ステップ２４０）。
【００４２】
なお、端末機５０にて携帯電話４０に対する購入依頼送信処理がなされると、図２（ｃ）に示される購入プログラム３００は終了する。また、このようにして端末機５０の購入プログラムが終了したとしても、端末機５０がナビゲーション装置として機能し続ける場合もある。
【００４３】
このようにして購入依頼送信処理がなされた携帯電話４０は、ユーザによって車外に持ち出されると、端末機５０との間の通信が切断される。そして、携帯電話４０では待ち受け処理がなされ（ステップ２５０）、外部サーバ１０からのアクセスがあったか否かが判定される（ステップ２６０）。すなわち、携帯電話４０に外部サーバ１０からのアクセスがなければ、携帯電話４０では待ち受け処理が繰り返し実行される。
【００４４】
一方、上記のようにして携帯電話４０を介して端末機５０からソフトウェアやコンテンツの購入依頼があると、ネットショップを運営する外部サーバ１０でその購入依頼が受付される（ステップ１２０）。そして、購入依頼があったソフトウェアやコンテンツのデータの送信処理、支払い手続き等の作成処理がなされ（ステップ１３０）、データの納入処理がなされる（ステップ１４０）。この納入処理とは、具体的に、携帯電話４０を識別するキーＩＤ（ｍ１＄３）が含まれたデータが外部サーバ１０から携帯電話４０に送信される。
【００４５】
なお、データの納入のための送信処理が終了すると、販売プログラム１００はスタートに戻り、外部からの外部サーバ１０へのアクセスを待つ状態となる。
【００４６】
上記のようにして外部サーバ１０からデータが送信されると、上述のように、携帯電話４０にてその旨が受信されることとなる。これにより、携帯電話４０では、外部サーバ１０からアクセスがあったと判定される（ステップ２６０）。そして、外部サーバ１０から送信されるデータが携帯電話４０にて受信され、受信されたデータがメモリ部４３に記憶される（一時的に格納される）（ステップ２７０）。なお、このとき、携帯電話４０は車両から離れた状態にあり、端末機５０と通信不可能な状態になっている。
【００４７】
一方、端末機５０では、上記購入プログラムが終了した後、ダウンロードプログラムが実行される。すなわち、端末機５０では、携帯電話４０が通信可能エリアに進入したか否かが判定される（ステップ４１０）。
【００４８】
また、ユーザが、データをメモリ部４３に記憶させた携帯電話４０を携帯して車両に近づくと、上述のようにＢｌｕｅｔｏｏｔｈ通信による接続相手を探索する処理がなされる（ステップ２８０）。これにより、端末機５０にて携帯電話４０からのアクセスがあったと判定されると（ステップ４１０）、端末機５０では、携帯電話４０を識別するキーＩＤ（ｍ１＄３）によって携帯電話４０が通信可能な機器であるかが判定される。こうしてキーＩＤが確認されることで、携帯電話４０および端末機５０にて接続完了処理がなされ（ステップ４２０、ステップ２９０）、携帯電話４０と端末機５０との間の通信が再構築されてＢｌｕｅｔｏｏｔｈによる通信が可能になる。
【００４９】
この後、外部サーバ１０から携帯電話４０のメモリ部４３に一時格納しておいたデータが端末機５０にダウンロードされるダウンロード処理がなされる（ステップ２９５、ステップ４３０）。このようにして携帯電話４０から端末機５０にデータが送信される際、データには端末機５０を識別するキーＩＤ（ｃ２％％２）が含まれており、購入依頼がなされた端末機５０であることが照合されてデータがダウンロードされる。すなわち、キーＩＤが異なる携帯電話が端末機５０との通信を可能にしたとしても、その携帯電話に格納されたデータは端末機５０にはダウンロードされない。
【００５０】
以上のようにして携帯電話４０に一時格納されたデータが端末機５０にダウンロードされることにより、携帯電話４０における一時格納プログラム２００が終了し、端末機５０におけるダウンロードプログラム４００が終了する。
【００５１】
以上説明したように、本実施形態では、携帯電話４０を介して端末機５０から外部サーバ１０にアクセスすると共に、外部サーバ１０から送信されるデータを携帯電話４０にダウンロードして記憶しておくことを特徴としている。これにより、大容量のソフトウェアや、音声データ、地図情報の変更修正等のソフトウェア作成に時間を要するデータのダウンロードが終了するまで携帯電話４０を端末機５０に接続した状態にしておく必要がなくなり、携帯電話４０の所有者が携帯電話４０を携帯して車両から離れられたとしても購入したデータをダウンロードし続けることができる。すなわち、端末機５０と携帯電話４０との接続状態を維持していなくても、データの容量やダウンロード時間に関わらずデータをダウンロードすることができる。
【００５２】
以上のように、携帯電話網、無線ＬＡＮ（Ｂｌｕｅｔｏｏｔｈ）網等に携帯電話４０を一時的な格納庫（記憶装置）とすることができる仕組みを設けることにより、端末機５０が常にネットワークに接続していなくても、携帯電話４０を一時的格納庫として使用することにより、作成までに時間のかかるカスタムデータや端末機５０にライセンスを発行したいデータ等や通常のデータを含め、購入およびダウンロードしたものが、携帯電話４０に何時でもダウンロードすることができる。
【００５３】
（他の実施形態）
上記実施形態では、携帯電話４０のメモリ部４３にデータをダウンロードしているが、携帯電話４０で使用可能な外部メモリにデータを保存するようにしても構わない。このような場合、データと共にキーＩＤも外部メモリに記憶することにより、外部メモリに記憶されたデータがどの端末機によって要求されたものであるかを判定することができる。
【００５４】
上記実施形態では、携帯電話４０と端末機５０との間を無線通信としているが、有線通信であっても構わない。すなわち、ユーザが携帯電話４０を車外に持ち出したとしても、ネットショップで購入したデータは携帯電話４０のメモリ部４３に一時格納するため、再び携帯電話４０を有線で端末機５０に接続し、携帯電話４０に一時格納したデータを端末機５０にダウンロードさせれば良い。
【００５５】
また、上記実施形態に示されたダウンロードシステムを用いることにより、例えばＭＰ３等のライセンス付きのデータを購入することができ、携帯電話４０内では再生できないが、データが端末機５０にダウンロードされて再生可能になるような仕組みも可能となる。つまり、インターネット回線が空いている夜のうちにライセンス付きデータを携帯電話４０にダウンロードさせておいても携帯電話４０では再生できず、端末機５０にダウンロードされて初めて再生可能になるようなライセンス保護の仕組みも可能となる。
【００５６】
なお、各図中に示したステップは、各種処理を実行する手段に対応するものである。
【図面の簡単な説明】
【００５７】
【図１】本発明の一実施形態に係る車両用ダウンロードシステムのシステム構成図である。
【図２】図１の外部サーバ、携帯電話、端末機における各処理の内容を示したフローチャートである。
【符号の説明】
【００５８】
１…車両用ダウンロードシステム、１０…外部サーバ、２０…インターネット、３０…基地局、４０…携帯電話、４３…メモリ部、５０…車両用端末機。
【図１】
0004561642.tif 000002
【図２】
0004561642.tif 000003